(57)【要約】【課題】従来、磁力線を人体に照射する技術は存在したが、透過性の高い超長波を頭部に作用させることで、細胞の活性化を図る技術は知られていないものであった。【解決手段】０．８ｋＧ（０．０８テスラ）から１．０ｋＧ（０．１テスラ）、周波数範囲が３Ｈｚから８Ｈｚまでの超長波を人体の頭部に作用させて細胞の活性化を促すことで、上述の課題を解決した。また、発生磁気の周波数を３Ｈｚ、８Ｈｚの二段階に切り替える機能を備えていることで上述した課題を解決した。さらに頭部を覆うようにキャップ状、ハット状に外装部が形成されていることで、上述課題を解決した。加えて、防振、防音装置を備えることで上述課題を解決した。以上の作用により、頭皮、毛髪の活性化、頭髪の白髪化防止、老人性痴呆の快方治療、高血圧治療等に効果を発揮する。【選択図】  図１
2005137861.tif 000002
【特許請求の範囲】
【請求項１】
最大発生磁力が０．８ｋＧ（０．０８テスラ）から１．０ｋＧ（０．１テスラ）、周波数範囲が３Ｈｚから８Ｈｚまでの超長波磁力線（交流磁気）を、人体の頭部に集中させて細胞の活性化を促すことを特徴とする頭部用超長波発生装置。
【請求項２】
頭部を覆う半球状に形成された外装部の当該半球状に沿って外側から中心に向かって渦巻コイル状に導電線を巻装して成る磁界発生部と、磁界発生部に周波数が３Ｈｚから８Ｈｚまでの範囲の超長波磁力線（交流磁気）を発生させるよう磁界発生部の導電線に低周波数によるパルス信号を発生させる周波数変換回路とを備えて成ることを特徴とする頭部用超長波発生装置。
【請求項３】
周波数変換回路は、発生磁気の周波数を３Ｈｚ、８Ｈｚの二段階に切り替える機能を備えている請求項１または２に記載の頭部用超長波発生装置。
【請求項４】
磁界発生部の外装部は、頭部を覆うようにキャップ状若しくはハット状に形成されて成る請求項１乃至３のいずれかに記載の頭部用超長波発生装置。
【請求項５】
外装部は、自体を振動させないように防振装置を備えている請求項１乃至４のいずれかに記載の頭部用超長波発生装置。
【請求項６】
外装部は、自体から音を発生させないように防音装置を備えている請求項１乃至５のいずれかに記載の頭部用超長波発生装置。
【発明の詳細な説明】
【技術分野】
【０００１】本発明は、超長波磁力線により全身治療を行うための超長波磁力線療法を利用した頭部用超長波発生装置に関するものである。
【背景技術】
【０００２】従来においては、肩こりの解消や血行の促進等を図るために、磁力線を人体の患部に照射したり、人体の全体に照射することで全身治療を行う方式等が普及している。
【特許文献１】特になし
【発明の開示】
【発明が解決しようとする課題】
【０００３】しかしながら、従来においては、磁力線を人体の患部や人体の全体に照射する一般的なものであり、透過性の良い超長波磁力線を頭部に作用させることで細胞の活性化を促すというような新規な技術は未だ知られていないものであった【０００４】そこで、本発明は叙上のような従来存した諸事情に鑑み創出されたもので、透過性の良い超長波磁力線を頭部に作用させることで、細胞の活性化を促すことの出来る頭部用超長波発生装置を提供することを目的とする。
【課題を解決するための手段】
【０００５】本発明に係わる超長波磁力線にあっては、最大発生磁力値範囲が０．８ｋＧ（０．０８テスラ）から１．０ｋＧ（０．１テスラ）、周波数範囲が３Ｈｚから８Ｈｚまでの超長波磁力線（交流磁気）を、人体の頭部Ｐ内に作用させて細胞の活性化を促すことで、上述した課題を解決した。【０００６】また、本発明に係わる頭部Ｐ用超長波発生装置にあっては、頭部Ｐを覆う半球状に形成された外装部５の当該半球状に沿って外側から中心に向かって渦巻コイル状に導電線６を巻装して成る磁界発生部７と、磁界発生部７に周波数が３Ｈｚから８Ｈｚまでの範囲の超長波磁力線（交流磁気）を発生させるよう磁界発生部７の導電線６に低周波数によるパルス信号を発生させる周波数変換回路８とを備えて成ることで、同じく上述した課題を解決した。【０００７】さらに、周波数変換回路８は、発生磁気の周波数を３Ｈｚ、８Ｈｚの二段階に切り替える機能を備えていることで、同じく上述した課題を解決した。【０００８】また、磁界発生部７の外装部は、頭部Ｐを覆うようにキャップ状若しくはハット状に形成されて成ることで、同じく上述した課題を解決した。【０００９】加えて、外装部５は、自体を振動させないように防振装置を備えていることで、同じく上述した課題を解決した。【００１０】また、外装部５は、自体から音を発生させないように防音装置を備えていることで、同じく上述した課題を解決した。【００１１】以上のように構成された本発明に係わる頭部Ｐ用超長波発生装置にあっては、最大発生磁力値範囲が０．８ｋＧ（０．０８テスラ）から１．０ｋＧ（０．１テスラ）、周波数範囲が３Ｈｚから８Ｈｚまでの透過性の良い超長波磁力線（交流磁気）が人体の頭部Ｐ内の深部まで照射され、衰えている細胞の再生力を強め、しかも温熱を化成させる。【００１２】以上の作用が同時に発生することで、他に類のない細胞の建設作用を促す。頭髪の白髪化防止、老人性痴呆症の快方治療、高血圧治療等にも効果を発揮する。【００１３】このとき頭部Ｐに与える周波数が３Ｈｚの超長波磁力線（交流磁気）は、就寝時の頭部Ｐ脳波と同じ周波数であることから、深い睡眠中でのσ波を誘発させる。一方、周波数が８Ｈｚの超長波磁力線（交流磁気）は、活動時の頭部Ｐ脳波と同じ周波数であることから、浅い睡眠中でのθ波を誘発させる。
【発明の効果】
【００１４】本発明は以上ように構成されていることから、透過性の良い超長波磁力線を頭部Ｐに作用させることで、細胞の活性化を促すことができる。【００１５】すなわち、周波数が３Ｈｚ〜３０Ｈｚの範囲であって、３ｋＨｚのときの波長が１００ｋｍを有する超長波電磁波の磁力線を利用した超長波磁力線療法は、無味無色無臭の状態で、この超長波電磁波が身体を貫通しても鍼や灸のように熱さや痛みを感じさせない。このような交流磁気による超長波磁力線療法は、周波数が５０Ｈｚでは波長が６００万ｍ、６０Ｈｚでは波長が５００万ｍである電磁波を使用するものであり、Ｘ線・紫外線・赤外線・電波と異なった性質をもっており、ガラス・木材・陶器・ゴ厶等の全てのものに簡単に透過するため、人体の深部に直接作用することができる。【００１６】特に超長波磁力線療法は、Ｘ線さえも通さない骨格の中を容易に貫通するため、骨髄内の神経にも作用できるものとして治療効果を期待させる。また、超長波磁力線療法は、電磁波中で最強といわれるγ線を除いて、ラジウム線中のα線・β線を屈折させる。また、Ｘ線やその他陰極線は、すべて磁界内において屈折する。【００１７】磁気は磁性体であるところの鉄・ニッケル・白金・マンガン・コバルト・酸素等を磁化する作用を有し、磁極に向かって吸引される。反対に磁極から排除される蒼鉛・アンチモン・リン・金・水素・窒素等は反磁性体である。そして、人体組織は、炭素・酸素・窒素・マンガン・鉄等いろいろな元素の有機的化合物であり、このような各元素が人体の各細胞を構成しているため、超長波磁力線療法は必然的にその細胞を刺激することが明らかである。このような細胞への刺激が、衰えている細胞の再生力を強める等の現象として現れる。【００１８】交流磁気が発生すると、その周囲に電磁誘導作用による局所的な交流電場でもって第二電流が発生する。普通の直流電流は身体の表面を流れるだけであるが、この第二電流は身体のどこでも貫通してゆき、各細胞間の元素を刺激して身体にジュール熱効果による温熱を化成させる。この作用は、健全な細胞を破壊することなく有効な治療作用を与えるものとなる。【００１９】交流磁気を発生するとき、必然的にマイクロバイブレーションが発生する。このマイクロバイブレーションはリンパの停滞を解消し、抵抗力・免疫力を増強させる。またバイブレーションによる疲労の回復等に与える効果は大である。さらに、上記した各作用の同時的な綜合作用により、他に類のない細胞の建設作用として、確実な効果が発揮できる。【００２０】尚、上記の課題を解決するための手段、発明の効果の項夫々において付記した符号は、図面中に記載した構成各部を示す部分との参照を容易にするために付したもので、図面中の符号により示された構造・形状に本発明が限定されるものではない。
【発明を実施するための最良の形態】
【００２１】以下に、本発明を実施する最良の形態を、図面を参照して説明する。図に示される符号１は、周波数範囲が３Ｈｚから８Ｈｚまでの超長波磁力線（交流磁気）を人体頭部Ｐに作用させることにより、細胞の活性化を促すための頭部Ｐ用超長波発生用の装置本体である。この装置本体１は、例えば、交流電圧１００Ｖ、周波数５０Ｈｚまたは６０Ｈｚの一般家庭用電源を使用して作動するものであり、最大発生磁力値範囲が０．８ｋＧ（０．０８テスラ）から１．０ｋＧ（０．１テスラ）、最大出力周波数が頭部Ｐ生体電流と同じ３Ｈｚから８Ｈｚ、作動時間が１５分となるように設定されている。【００２２】具体的な装置本体１の構成としては、図１・図２に示すように、スタンド台２上の一端に立設した支柱３の上端から引き出し乃至引き込み可能とした、例えば、フレキシブルなアーム４の屈曲先端部分に、頭部Ｐを覆う半球状の外装部５が取り付けられ、その半球状に沿って銅線等の導電線６を外側から中心に向かって渦巻コイル状に巻装することで磁界発生部７が形成される。尚、外装部５を、図３に示すようなハット状に形成しても良い。【００２３】また、半球状の外装部５の内壁中心部分には、磁界発生部７に周波数が３Ｈｚから８Ｈｚまでの範囲の超長波磁力線（交流磁気）を発生させるために、磁界発生部７の導電線６に低周波数によるパルス信号を発生させる周波数変換回路８を備えている。例えば、磁界発生部７に供給する電圧は、互いに逆方向の所定パルス幅から成る電圧とし、そのコイル状の導電線６に印加する電圧の瞬間毎の平均電圧を平滑変化させ、所定の周波数からなるパルス幅を持った電圧をコイル状の導電線６に供給することで、発熱を抑えた状態で、周波数の相当した超長波磁力線（交流磁気）を発生させることができる。【００２４】このとき、磁界発生部７の発生磁力値は球体中心点で１Ｋｇ（０．１テスラ）を最大値としている。また、周波数変換回路８には、周波数を３Ｈｚ、８Ｈｚの二段階に切り替え可能な機能を備えた制御部を備えている。あるいは、周波数変換回路８を制御するための制御部を、スタンド台２側に搭載しても良い。この周波数が３Ｈｚとした設定理由は、就寝時の人体頭部Ｐ内の脳波と同じ周波数のためであり、一方、８Ｈｚとした設定理由は、活動時の人体の頭部Ｐ内の脳波と同じ周波数とするためである。【００２５】また、装置本体１に振動を発生させないように防振装置を設けたり、装置本体１に音を発生させないよう防音装置を設けても良い。【００２６】次に、以上のように構成された最良の形態について、使用・動作の一例を説明する。まず、磁界発生部７を人体の頭部Ｐに被せておく。次に、制御部のコントロールにより周波数変換回路８を作動させて、家庭用電源の交流電圧の周波数を５０Ｈｚまたは６０Ｈｚから低周波数によるパルス信号に変換させて、磁界発生部７の導電線６に印加する。このとき所定の周波数からなるパルス幅を持った電圧をコイル状の導電線６に供給することで、発熱を抑えた状態で、周波数の相当した超長波磁力線（交流磁気）を磁界発生部７の球状中心部分周辺に発生させる。こうして、最大発生磁力値範囲が０．８ｋＧ（０．０８テスラ）から１．０ｋＧ（０．１テスラ）、周波数範囲が３Ｈｚから８Ｈｚまでの超長波磁力線（交流磁気）が人体の頭部Ｐに作用して細胞の活性化を行う。
【図面の簡単な説明】
【００２７】
【図１】本発明を実施するための最良の形態における、頭部用超長波発生用の装置本体の構成を示した側面図である。
【図２】磁界を発生させる外装部の構成を示した一部切欠断面図である。
【図３】磁界を発生させる外装部の他の構成を示した斜視図である。
【符号の説明】
【００２８】Ｐ・・・・・頭部
１・・・・・装置本体
２・・・・・スタンド台
３・・・・・支柱
４・・・・・アーム
５・・・・・外装部
６・・・・・導電線
７・・・・・磁界発生部
８・・・・・周波数変換回路
【図１】
2005137861.tif 000003
【図２】
2005137861.tif 000004
【図３】
2005137861.tif 000005